(57)【要約】      （修正有）【課題】折り畳み状態と展開状態との間で切り替えることができる折り畳み式バーベキューコンロを提供する。【解決手段】折り畳み式バーベキューコンロは、第１ハウジング１０と、第２ハウジング２０と、第１支持脚３０と、第２支持脚４０と、第１皿体５０と、を備える。折り畳み式バーベキューコンロを折り畳んだ場合、第１ハウジング１０と第２ハウジング２０とが互いに接近し、第１皿体５０が第１ハウジング１０と第２ハウジング２０との間に収納される。且つ、第１支持脚３０と第２支持脚４０とを互いに係合させることによって、第１ハウジング１０と第２ハウジング２０がひとりで展開することを防止する。折り畳み式バーベキューコンロを展開した場合、第１支持脚３０と第２支持脚４０とがテーブルの表面または地面にそれぞれ支持され、第１皿体５０を第１支持軸と第２支持軸に取り付けることができる。【選択図】図２
2014036835.tif 000002
【特許請求の範囲】
【請求項１】
折り畳み式バーベキューコンロであって、
第１支持軸を含む第１ハウジングと、
第２支持軸を含み、一端が前記第１ハウジングの一端に結合される第２ハウジングと、
両端を前記第１支持軸の両端部に結合させることにより、自身と前記第１支持軸とを前記第１ハウジングに結合させる第１支持脚と、
両端を前記第２支持軸の両端部に結合させることにより、自身と前記第２支持軸とを前記第２ハウジングに結合させる第２支持脚と、
直接に前記第１支持軸と前記第２支持軸とに取り付けることができる第１皿体と、を備え、
前記折り畳み式バーベキューコンロは、折り畳み状態と展開状態との間で切り替えることができ、折り畳み式バーベキューコンロが折り畳み状態になる場合、前記第１ハウジングと前記第２ハウジングが互いに接近し、前記第１皿体と前記第２皿体とが前記第１ハウジングと前記第２ハウジングとの間に収納され、且つ前記第１支持脚と前記第２支持脚とを一体に係合させることによって、前記第１ハウジングと前記第２ハウジングがひとりで展開することを防止し、
前記折り畳み式バーベキューコンロが展開状態になる場合、前記第１支持脚と前記第２支持脚がテーブルの表面または地面にそれぞれ支持され、前記第１皿体を前記第１支持軸と前記第２支持軸とに取り付けることによって、折り畳み式バーベキューコンロを迅速に展開することができる、ことを特徴とする折り畳み式バーベキューコンロ。
【請求項２】
前記第１支持軸の中央部の付近には、２つの第１離脱防止部と、１つの第１胴体部とを含む第１支え具が形成され、前記第１胴体部は、前記２つの第１離脱防止部の間に位置し、前記第１支え具の前記第１胴体部は、前記第１支持軸に挿入され、前記２つの第１離脱防止部は、前記第１支え具の両側に位置し、前記第１離脱防止部は、前記第１支え具が前記第１支持軸から離脱することを防止し、
前記第２支持軸の中央部の付近には、２つの第２離脱防止部と、１つの第２胴体部とを含む第２支え具が形成され、前記第２胴体部は、前記２つの第２離脱防止部との間に位置し、前記第２支え具の前記第２胴体部は、前記第２支持軸に挿入され、前記２つの第２離脱防止部は、前記第２支え具の両側に位置し、前記第２離脱防止部は、前記第２支え具が前記第２支持軸から離脱することを防止する、ことを特徴とする請求項１記載の折り畳み式バーベキューコンロ。
【請求項３】
前記第１支持軸の中央部の付近には、前記第１胴体部と結合する第１嵌着具がさらに設けられ、前記第２支持軸の中央部の付近には、前記第２嵌着具と結合する第２嵌着具がさらに設けられている、ことを特徴とする請求項２記載の折り畳み式バーベキューコンロ。
【請求項４】
前記第１ハウジングは、第１側壁と、第２側壁とを含み、前記第２ハウジングは、第３側壁と、第４側壁とを含む、
前記第１支持軸の両端は、前記第１側壁と前記第２側壁にそれぞれ挿入され、前記第１支持軸の一端には、第１結合具が設けられ、前記第１支持軸の他端にも、第１結合具が設けられ、前記２つの第１結合具は、前記第１側壁と前記第２側壁にそれぞれ挿入され、前記第１支持脚の両端には、第１固定穴がそれぞれ形成され、前記第１支持軸の第１結合具は、前記第１固定穴に結合されており、
前記第２支持軸の両端は、前記第３側壁と前記第４側壁にそれぞれ挿入され、前記第２支持軸の一端には、第２結合具が設けられ、前記第２支持軸の他端にも、前記第２結合具が設けられ、前記２つの第２結合具は、前記第３側壁と前記第４側壁にそれぞれ挿入され、前記第２支持脚の両端には、第２固定穴がそれぞれ形成され、前記第２支持軸の第２結合具は、前記第２固定穴に結合されている、ことを特徴とする請求項１記載の折り畳み式バーベキューコンロ。
【請求項５】
前記第１支持脚は、２つのねじ接続具を含み、前記第２支持脚は、２つの第２ねじ接続具を含む、
前記第１結合具は、第１頭部区間を含み、前記第１頭部区間には、軸方向の第１結合穴が設けられ、前記第２結合具は第２頭部区間を含み、前記第２頭部区間には、軸方向の第２結合穴が設けられており、
前記２つの第１ねじ接続具は、前記第１支持脚を通過して前記第１結合具の前記第１結合穴にそれぞれ締結され、前記２つの第２ねじ接続具は、前記第２支持脚を通過して前記第２結合穴に締結される、ことを特徴とする請求項４記載の折り畳み式バーベキューコンロ。
【請求項６】
前記第１結合具は、第１胴体区間を含み、前記第１頭部区間の前記第１胴体区間の反対端には、第１制限突起部が形成され、前記第１結合穴は、前記第１制限突起部の内部にも形成され、前記２つの第１結合具の第１胴体区間は、前記第１支持軸の両端にそれぞれ挿入され、前記第１頭部区間は、前記第１支持軸の端部に当接され、前記第１制限突起部は、前記第１制限穴に挿入され、
前記第２結合具は、第２胴体区間を含み、前記第２頭部区間の第２胴体区間の反対端には、第２制限突起部が形成され、前記第２結合穴は、前記第２制限突起部の内部にも形成され、前記２つの第２結合具の前記第２胴体区間は、前記第２支持軸の両端にそれぞれ挿入され、前記第２頭部区間は、前記第２支持軸の端部に当接され、前記第２制限突起部は、前記第２制限穴に挿入される、ことを特徴とする請求項５記載の折り畳み式バーベキューコンロ。
【請求項７】
前記第１支持軸の一端には、第１取付クリップが設けられ、前記第１取付クリップを前記第１支持軸と前記第１胴体区間に挿入することによって、前記第１結合具が前記第１支持軸から離脱することを防止し、
前記第２支持軸の一端には、第２取付クリップが設けられ、前記第２支持軸の他端にも、第２取付クリップが設けられ、前記第２取付クリップを前記第２支持軸と前記第２胴体区間に挿入することによって、前記第２結合具が前記第２支持軸から離脱することを防止する、ことを特徴とする請求項６記載の折り畳み式バーベキューコンロ。
【請求項８】
前記第１ハウジングは、板金加工により成型されるものであり、第１ヒンジ部と、第２ヒンジ部とを含み、前記第１ヒンジ部の一端は、第１側壁に設けられ、前記第１ヒンジ部の他端には、第１湾曲支持部と第１支え面が設けられており、
前記第２ヒンジ部の一端は、前記第２側壁に設けられ、前記第２ヒンジ部の他端には、第２湾曲支持部と第２支え面とが設けられており、
前記第２ハウジングは、板金加工により成型されるものであり、第３ヒンジ部と、第４ヒンジ部とを含み、前記第３ヒンジ部の一端は、第３側壁に設けられ、前記第３ヒンジ部の他端には、第３湾曲支持部と第３支え面とが設けられており、
前記第４ヒンジ部の一端は、前記第４側壁に設けられ、前記第４ヒンジ部の他端には、第４湾曲支持部と、第４支え面とが設けられており、
前記第１支持脚の両端の間には、係着区間と２つの第１支え区間とが設けられ、前記係着区間は、２つの前記第１支え区間の間に形成されており、
前記第２支持脚の両端の間には、係着具と２つの第２支え区間とが設けられ、前記係具は、２つの前記第２支え区間の間に形成されており、
折り畳み式バーベキューコンロを展開した場合、前記第１支持脚の第１支え区間と、前記第２支持脚の第２支え区間と、前記第１ヒンジ部の前記第１湾曲支持部と、前記第２ヒンジ部の前記第２湾曲支持部と、前記第３ヒンジ部の前記第３湾曲支持部と、前記第４ヒンジ部の前記第４湾曲支持部とが地面またはテーブルの表面に支持され、前記第１湾曲支持部と、前記第２湾曲支持部と、前記第３湾曲支持部と、前記第４湾曲支持部とにより、折り畳み式バーベキューコンロの展開状態を維持し、
折り畳み式バーベキューコンロを折り畳んだ場合、前記第１支持脚の係着区間が前記第２支持脚の係着具に係合され、前記第１ヒンジ部の前記第１支え面と、前記第２ヒンジ部の前記第２支え面と、前記第３ヒンジ部の第３支え面と、前記第４ヒンジ部の前記第４支え面とが地面またはテーブルの表面に支持される、ことを特徴とする請求項４記載の折り畳み式バーベキューコンロ。
【請求項９】
前記第１ヒンジ部には、第１枢支孔と、第１長い穴とが形成され、且つ前記第１ヒンジ部は、第１ブッシングと、第１固定具と、第２ブッシングと、第２固定具とを含み、
前記第２ヒンジ部には、第２枢支孔と、第１穴部とが形成され、且つ前記第２ヒンジ部は、第３ブッシングと、第４ブッシングと、第４固定具とを含み、
前記第３ヒンジ部は、第３枢支孔と、第２長い穴と、を含み、
前記第４ヒンジ部は、第４枢支孔と、第２長い穴とを含み、
前記第１ハウジングの前記第１ヒンジ部と前記第２ハウジングの前記第４ヒンジ部とを一体に係合させる場合、前記第１固定具が前記第１ブッシングと、前記第１枢支孔と、前記第４枢支孔とに挿入され、前記第２固定具が前記第２ブッシングと、前記第１長い穴と、前記第２穴とに挿入され、前記第１ハウジングの前記第２ヒンジ部と前記第２ハウジングの第３ヒンジ部とを一体に係合させる場合、前記第３固定具が前記第３ブッシングと、前記第２枢支孔と、前記第３枢支孔とに挿入され、前記第４固定具が前記第４ブッシングと、前記第１穴部と、前記第２長い穴とに挿入される、ことを特徴とする請求項８記載の折り畳み式バーベキューコンロ。
【請求項１０】
前記折り畳み式バーベキューコンロは、第２皿体をさらに含み、前記第１ハウジングは第１支え壁を含み、前記第２ハウジングは第２支え壁を含み、前記第２皿体を直接に前記第１支え壁と前記第２支え壁に取り付けることができる、ことを特徴とする、請求項１記載の折り畳み式バーベキューコンロ。
【発明の詳細な説明】
【技術分野】
【０００１】
本発明は、折り畳み式バーベキューコンロに関し、特に折り畳みまたは展開を迅速に行うことができる折り畳み式バーベキューコンロに関する。
【背景技術】
【０００２】
台湾特許第３５７５９８号に記載されている「携帯式バーベキューコンロの組立及び折り畳み用固定構造」（特許文献１）は、ハウジングと、取付足とを備える。前記ハウジングは、主に２つの炉板と、２つの側板とに囲まれて構成されるものである。各々の炉板の両端部には、垂直に延伸した側面がそれぞれ形成され、且つ対向する側面の底部端により２つの炉板が連結される。１つの炉板が備える２つの側面には、２つの側板を２つの側面にそれぞれ装着するための２つの環柱がそれぞれ凸設されている。２つの側板と他の１つの炉板の２つの側面の上部端とに、可動ボタンと結合する枢支穴が設けられている。これにより、携帯式バーベキューコンロを使用する時、ハウジングを展開して固定することができる。且つ、可動ボタンと対向する炉板の側面に係着フックが形成され、係着フックを可動ボタンに係合させることにより、携帯式バーベキューコンロの折り畳み状態を維持することができる。
【０００３】
前述した携帯式バーベキューコンロを折り畳む時、まず、取付足とハウジングとが分離するように取付足を取り外す。つぎは、側板にロックしている可動ボタンを開放して、側板を取り外す。つぎは、引き続き取付足と、炭置き網と、焼網と、焼きプレートとを取り外し、炉板を閉めた後、係着フックの可動ボタンを係合させる。これにより、折り畳み式バーベキューコンロの折り畳み作業を終了する。
【先行技術文献】
【特許文献】
【０００４】
【特許文献１】台湾特許第３５７５９８号公報
【発明の概要】
【発明が解決しようとする課題】
【０００５】
前述した折り畳み式バーベキューコンロが外力により転倒された場合、係着フックと可動ボタンとが外力によって分離してしまうので、折り畳み式バーベキューコンロの展開状態を維持することができない。即ち、係着フックと可動ボタンだけにより、折り畳み式バーベキューコンロの安定な展開状態を維持することができない。
【課題を解決するための手段】
【０００６】
前述した従来の折り畳み式バーベキューコンロの問題を解決するため、本発明は、以下のような構造を有する折り畳み式バーベキューコンロを提供する。本発明の折り畳み式バーベキューコンロは、折り畳み状態と展開状態との間で切り替えることができる。本発明の折り畳み式バーベキューコンロを折り畳む場合、第１ハウジングと第２ハウジングが互いに接近し、第１皿体と第２皿体とが第１ハウジングと第２ハウジングとの間に収納される。且つ、第１支持脚と第２支持脚とを一体に係合させることにより、第１ハウジングと第２ハウジングがひとりで展開することを防ぐことができる。本発明の折り畳み式バーベキューコンロを展開する場合、第１支持脚と第２支持脚がテーブルの表面または地面にそれぞれ支持される。第１皿体と第２皿体とを第１ハウジングと第２ハウジングとの間にそれぞれ取り付けること、即ち、第１皿体と第２皿体とを第１ハウジングと第２ハウジングに直接に取り付けることによって、折り畳み式バーベキューコンロを迅速に展開することができる。
【０００７】
本発明の折り畳み式バーベキューコンロにおいて、第１皿体を第１支持軸と第２支持軸に取り付けた場合、第１皿体が第１支持軸と第２支持軸にそれぞれ係合されるので、第１皿体によって、折り畳み式バーベキューコンロが傾くか或いは折り畳まれることを防ぐことができる。
【０００８】
本発明の折り畳み式バーベキューコンロにおいて、第１支持軸と、第２支持軸と、第１皿体とを迅速に取り付けるか或いは取り外すことにより、本発明の折り畳み式バーベキューコンロを迅速に展開するか或いは取り畳むことができる。
【０００９】
本発明の折り畳み式バーベキューコンロにおいて、第１湾曲支持部と、第２湾曲支持部と、第３湾曲支持部と、第４湾曲支持部とにより、展開状態の折り畳み式バーベキューコンロを立てることができる。
【００１０】
本発明の折り畳み式バーベキューコンロにおいて、第１支え面と、第２支え面と、第３支え面と、第４支え面とにより、折り畳み状態の折り畳み式バーベキューコンロを立てることができる。
【発明の効果】
【００１１】
前述した本発明の折り畳み式バーベキューコンロにより、以下のような発明の効果を奏することができる。
【００１２】
本発明の折り畳み式バーベキューコンロは、折り畳み状態と展開状態との間で切り替えることができる。本発明の折り畳み式バーベキューコンロを折り畳む場合、第１ハウジングと第２ハウジングが互いに接近し、第１皿体と第２皿体とが第１ハウジングと第２ハウジングとの間に収納される。且つ、第１支持脚と第２支持脚とを一体に係合させることにより、第１ハウジングと第２ハウジングとがひとりで展開することを防ぐことができる。本発明の折り畳み式バーベキューコンロを展開する場合、第１支持脚と第２支持脚とがテーブルの表面または地面にそれぞれ支持される。この場合、第１皿体と第２皿体とを第１ハウジングと第２ハウジングとの間に取り付けることができる。第１皿体と第２皿体とを直接に第１ハウジングと第２ハウジングに取り付けることにより、折り畳み式バーベキューコンロを迅速に展開することができる。
【００１３】
本発明の折り畳み式バーベキューコンロにおいて、第１皿体を第１支持軸と第２支持軸に取り付ける場合、第１皿体が第１支持軸と第２支持軸にそれぞれ係合されるので、第１皿体により折り畳み式バーベキューコンロが傾くか或いは折り畳まれることを防ぐことができる。
【００１４】
本発明の折り畳み式バーベキューコンロにおいて、第１支持軸と、第２支持軸と、第１皿体とを迅速に取り付けるか或いは取り出すことができるので、折り畳み式バーベキューコンロを迅速に展開するか或いは取り畳むことができる。
【００１５】
本発明の折り畳み式バーベキューコンロにおいて、第１湾曲支持部と、第２湾曲支持部と、第３湾曲支持部と、第４湾曲支持部とにより、展開された折り畳み式バーベキューコンロを安定に立てることができる。
【００１６】
本発明の折り畳み式バーベキューコンロにおいて、第１支え面と、第２支え面と、第３支え面と、第４支え面とにより、折り畳まれた折り畳み式バーベキューコンロを収合位置に切り替えたときに、立てることができる。
【図面の簡単な説明】
【００１７】
【図１】本発明の折り畳み式バーベキューコンロの折り畳み状態を示す外観斜視図である。
【図２】本発明の折り折り畳み式バーベキューコンロの展開状態を示す外観斜視図である。
【図３】本発明の折り畳み式バーベキューコンロを示す分解斜視図である。
【図３Ａ】図３の折り畳み式バーベキューコンロの一部を示す拡大図である。
【図３Ｂ】図３の折り畳み式バーベキューコンロの一部を示す拡大図である。
【図４】本発明の折り畳み式バーベキューコンロを示す平面図である。
【図５】図２の線５−５に沿う折り畳み式バーベキューコンロの断面を示す図である。
【図６】図５の折り畳み式バーベキューコンロの一部を示す拡大図である。
【図７】図５の線７−７に沿う折り畳み式バーベキューコンロの断面を示す図である。
【図８】図２の線８−８に沿う折り畳み式バーベキューコンロの断面を示す図である。
【図９】図８の折り畳み式バーベキューコンロの一部を示す拡大図である。
【図１０】図９の折り畳み式バーベキューコンロの折り畳み過程を示す拡大図である。
【図１１】図６の折り畳み式バーベキューコンロの折り畳み過程を示す拡大図である。
【図１２】図５の折り畳み式バーベキューコンロの折り畳み過程を示す図である。
【図１３】図１２の折り畳み式バーベキューコンロの折り畳み過程を示す図である。
【発明を実施するための形態】
【００１８】
図１と図２は、本発明の折り畳み式バーベキューコンロを示す外観斜視図である。本発明の折り畳み式バーベキューコンロは、第１ハウジング１０と、第２ハウジング２０と、第１支持脚３０と、第２支持脚４０と、第１皿体５０と、第２皿体６０と、を備える。第２ハウジング２０の一端と第１ハウジング１０の一端とは、一体に連結されている。
【００１９】
折り畳み式バーベキューコンロは、折り畳み状態と展開状態との間で切り替えることができる。折り畳み式バーベキューコンロが折り畳み状態になる場合、第１ハウジング１０と第２ハウジング２０が互いに接近し、第１皿体５０と第２皿体６０とが第１ハウジング１０と第２ハウジング２０との間に収納される。且つ、第１支持脚３０と第２支持脚４０が互いに接近するので、第１ハウジング１０と第２ハウジング２０がひとりで展開することを防ぐことができる。
【００２０】
折り畳み式バーベキューコンロが展開状態になる場合、第１支持脚３０と第２支持脚４０がテーブルの表面または地面にそれぞれ支持され、且つ第１皿体５０と第２皿体６０とが第１ハウジング１０と第２ハウジング２０との間にそれぞれ支持される。折り畳み式バーベキューコンロを展開する時、第１皿体５０と第２皿体６０とが第１ハウジング１０と第２ハウジング２０との間に自動的に支持されるので、折り畳み式バーベキューコンロを容易に使用することができる。
【００２１】
図３ないし図５は、本発明の折り畳み式バーベキューコンロの分解斜視図と、表面図と、断面図とをそれぞれ示す図である。第１ハウジング１０は、板金加工により成型されるものであり、第１側壁１１と、第２側壁１２と、第１底壁１３と、第１支え壁１４と、第１ヒンジ部１５と、第２ヒンジ部１６と、第１支持軸１７とを、含める。第１側壁１１と第２側壁１２は、対向するように形成され、第１底壁１３と第１支え壁１４は、第１側壁１１と第２側壁１２との間にそれぞれ形成されている。第１底壁１３の両端は、第１側壁１１と第２側壁１２にそれぞれ連結されている。第１支え壁１４は、第１ハウジング１０の一端、即ち第１底壁１３が形成されない第１ハウジング１０の一端に設けられている。
【００２２】
図３Ａと図３Ｂに示す通り、第１ヒンジ部１５と第２ヒンジ部１６は、対向して設けられている。第１ヒンジ部１５は、第１側壁１１の一端に設けられ、第２ヒンジ部１６は、第２側壁１２の一端に設けられている。即ち、第１ヒンジ部１５と第２ヒンジ部１６は、第１底壁１３の両端にそれぞれ設けられている。
【００２３】
第１ヒンジ部１５の一端は、第１側壁１１に設けられ、第１ヒンジ部１５の他端には、第１枢支孔１５１と、第１長い穴１５２とが設けられている。第１ヒンジ部１５は、第１ブッシング１５３と、第１固定具１５４と、第２ブッシング１５５と、第２固定具１５６と、第１湾曲支持部１５７と、第１支え面１５８と、を含める。
【００２４】
第２ヒンジ部１６の一端は、第２側壁１２に設けられ、第２ヒンジ部１６の他端には、第２枢支孔１６１と、第１穴部１６２とが設けられている。第２ヒンジ部１６は、第３ブッシング１６３と、第３固定具１６４と、第４ブッシング１６５と、第４固定具１６６と、第２湾曲支持部１６７と、第２支え面１６８と、を含める。
【００２５】
第１側壁１１の両端の略中央部には、第１貫通穴１１１が設けられ、第１貫通穴１１１に接近する第１側壁１１の箇所には、第１突起柱１１２が設けられている。第１突起柱１１２と第１ヒンジ部１５とは、第１側壁１１の反対する両端にそれぞれ設けられている。
【００２６】
第２側壁１２の両端の略中央部には、第２貫通穴１２１が設けられ、第２貫通穴１２１に接近する第２側壁１２の箇所には、第２突起柱１２２が設けられている。第２突起柱１２２と第２ヒンジ部１６とは、第２側壁１２の反対する両端にそれぞれ設けられている。折り畳み式バーベキューコンロを折り畳む場合、第１支持脚３０が第１突起柱１１２と第２突起柱１２２に当接される。
【００２７】
第１支持軸１７は、管状に形成されている。第１支持軸１７の両端は、第１側壁１１の第１貫通穴１１１と第２側壁１２の第２貫通穴１２１とにそれぞれ挿入されている。第１支持軸１７の一端には、第１結合具１７１と、第１固定クリップ１７２とが設けられ、第１支持軸１７の他端にも、第１結合具１７１と、第１固定クリップ１７２とが設けられている。
【００２８】
２つの第１結合具１７１は、第１側壁１１と第２側壁１２にそれぞれ挿入されている。第１結合具１７１は、第１頭部区間１７１１と、第１胴体区間１７１２とを含み、第１胴体区間１７１２が形成される第１頭部区間１７１１の反対端には、第１制限突起部１７１３が形成されている。第１頭部区間１７１１の内部には、軸方向の第１結合穴１７１４が形成されている。第１結合穴１７１４は、第１制限突起部１７１３の内部にも形成されている。２つの第１結合具１７１の第１胴体区間１７１２を第１支持軸１７の両端にそれぞれ取り付ける場合、第１頭部区間１７１１が第１支持軸１７の端部に当接される。第１固定クリップ１７２を第１支持軸１７と第１胴体区間１７１２とに挿入する場合、第１固定クリップ１７２によって、第１結合具１７１が第１支持軸１７から離脱しないようになる。
【００２９】
第１支持軸１７の略中央部には、第１支え具１７３と、第１嵌着具１７４とが設けられている。第１支え具１７３は、２つの第１離脱防止部１７３１と、１つの第１胴体部１７３２とを含み、第１胴体部１７３２は、２つの第１離脱防止部１７３１の間に形成されている。第１支え具１７３の第１胴体部１７３２は、第１支持軸１７と第１嵌着具１７４に挿入され、２つの第１離脱防止部１７３１は、第１支え具件１７３の両側にそれぞれ形成されている。第１離脱防止部１７３１によって、第１支え具１７３が第１支持軸１７から離脱することを防ぐことができる。本実施例において、第１支え具１７３は、リベットである。
【００３０】
第２ハウジング２０は、板金加工により成型されるものであり、第３側壁２１と、第４側壁２２と、第２底壁２３と、第２支え壁２４と、第３ヒンジ部２５と、第４ヒンジ部２６と、第２支持軸２７と、を含める。第３側壁２１と第４側壁２２は、対向するように形成され、第２底壁２３と第２支え壁２４は、第３側壁２１と第４側壁２２との間にそれぞれ形成されている。第２底壁２３の両端は、第３側壁２１と第４側壁２２にそれぞれ連結されている。第２支え壁２４は、第２ハウジング２０の一端、即ち第２底壁２３が形成されない第２ハウジング２０の一端に設けられている。
【００３１】
第３ヒンジ部２５と第４ヒンジ部２６は、対向するように設けられている。第３ヒンジ部２５は、第３側壁２１の一端に設けられ、第４ヒンジ部２６は、第４側壁２２の一端に設けられている。即ち、第３ヒンジ部２５と第４ヒンジ部２６とは、第２底壁２３の両端にそれぞれ設けられている。
【００３２】
第３ヒンジ部２５の一端は、第３側壁２１に設けられ、第３ヒンジ部２５の他端には、第３枢支孔２５１と、第２長い穴２５２と、第３湾曲支持部２５３と、第４支え面２５４とが設けられている。
【００３３】
第４ヒンジ部２６の一端は、第４側壁２２に設けられ、第４ヒンジ部２６の他端には、第４枢支孔２６１と、第２長い穴２６２と、第４湾曲支持部２６３と、第４支え面２６４とが設けられている。
【００３４】
第３側壁２１の両端の略中央部には、第３貫通穴２１１が設けられ、第３貫通穴２１１に接近する第３側壁２１の箇所には、第３突起柱２１２が設けている。第３突起柱２１２と第３ヒンジ部２５は、第３側壁２１の反対する両端にそれぞれ設けられている。
【００３５】
第４側壁２２両端の略中央部には、第４貫通穴２２１が設けられ、第４貫通穴２２１に接近する第４側壁２２の箇所には、第４突起柱２２２が設けている。第４突起柱２２２と第４ヒンジ部２６は、第４側壁２２の反対する両端にそれぞれ設けられている。折り畳み式バーベキューコンロを折り畳む場合、第２支持脚４０が第３突起柱２１２と第４突起柱２２２とに当接される。
【００３６】
図６と図７に示す通り、第２支持軸２７は、管状に形成されている。第２支持軸２７の両端は、第３貫通穴２１１と第４貫通穴２２１にそれぞれ挿入されている。第２支持軸２７の一端には、第２結合具２７１と第２取付クリップ２７２とが設けられ、第２支持軸２７の他端には、第２結合具２７１と第２取付クリップ２７２とが設けられている。
【００３７】
第２結合具２７１は、第２頭部区間２７１１と、第２胴体区間２７１２とを含む。第２胴体区間２７１２が形成される第２頭部区間２７１１の反対端には、第２制限突起部２７１３が形成されている。第２頭部区間２７１１の内部には、軸方向の第２結合穴２７１４が形成され、第２結合穴２７１４は、第２制限突起部２７１３の内部にも形成されている。２つの第２結合具２７１の第２胴体区間２７１２を第２支持軸２７の両端にそれぞれ取り付ける場合、第２頭部区間２７１１が第２支持軸２７の端部に当接される。第２固定クリップ２７２を第２支持軸２７と第２胴体区間２７１２に挿入する場合、第２固定クリップ２７２によって、第２結合具２７１が第２支持軸２７から離脱しないようになる。
【００３８】
第２支持軸２７の略中央部には、第２支え具２７３と、第２嵌着具２７４とが設けられている。第２支え具２７３は、２つの第２離脱防止部２７３１と、１つの第２胴体部２７３２とを含み、第２胴体部２７３２は、２つの第２離脱防止部２７３１の間に形成されている。第２支え具２７３の第２胴体部２７３２は、第２支持軸２７と第２嵌着具２７４に挿入され、２つの第２離脱防止部２７３１は、第２支え具件２７３の両側にそれぞれ形成されている。第２離脱防止部２７３１によって、第２支え具２７３が第２支持軸２７から離脱することを防ぐことができる。本実施例において、第２支え具２７３は、リベットである。
【００３９】
第１ハウジング１０の第１ヒンジ部１５と、第２ハウジング２０の第４ヒンジ部２６とは、一体に連結され、第１固定具１５４は、第１ブッシング１５３と、第１枢支孔１５１と、第４枢支孔２６１とに挿入されている。第２固定具１５６は、第２ブッシング１５５と、第１長い穴１５２と、第２長い穴２６２に挿入されている。
【００４０】
第１ハウジング１０の第２ヒンジ部１６と、第２ハウジング２０の第３ヒンジ部２５とは、一体に枢接され、第３固定具１６４は、第３ブッシング１６３と、第２枢支孔１６１と、第３枢支孔２５１とに挿入されている。第４固定具１６６は、第４ブッシング１６５と、第１長い穴１６２と、第２長い穴２５２に挿入されている。
【００４１】
第１支持脚３０は、Ｕ字形に形成されている。第１支持脚３０の両端は、第１支持軸１７の両端部にそれぞれ結合されている。これにより、第１支持脚３０と第１支持軸１７とを第１ハウジング１０に結合させることができる。第１支持脚３０の両端には、第１制限穴３１がそれぞれ形成され、第１支持脚３０は、２つの第１ねじ接続具３２をさらに含む。第１支持軸１７の第１結合具１７１は、第１制限穴３１に係合されている。具体的には、第１制限突起部１７１３が第１制限穴３１に係合されている。２つの第１ねじ接続具３２は、第１支持脚３０を介して、第１結合具１７１の第１結合穴１７１４に締結されている。第１支持脚３０両端の間には、係着区間３３と、２つの第１支え区間３４とが設けられている。係着区間３３は、２つの第１支え区間３４の間に形成されている。
【００４２】
第２支持脚４０は、Ｕ字形に形成されている。第２支持脚４０の両端は、第２支持軸２７の両端にそれぞれ結合されている。これにより、第２支持脚４０と第２支持軸２７とを第２ハウジング２０に結合させることができる。第２支持脚４０の両端には、第２制限穴４１がそれぞれ形成され、第２支持脚４０は、２つの第２ねじ接続具４２をさらに含む。第２支持軸２７の第２結合具２７１は、第２制限穴４１に係合されている。具体的には、第２制限突起部２７１３が第２制限穴４１に係合されている。２つの第２ねじ接続具４２は、第２支持脚４０を介して、第２結合具２７１の第２結合穴２７１４に締結されている。第２支持脚４０両端の間には、係着区間４３と、２つの第２支え区間４４とが設けられている。係着区間４３は、２つの第２支え区間４４の間に形成されている。
【００４３】
第１皿体５０は、直接に第１支持軸１７と第２支持軸２７に取り付けることができる。第１皿体５０は、底部５１と、対向する２つの第１壁部５２と、対向する２つの第２壁部５３とを含める。第１壁部５２と第２壁部５３とは、両方とも底部５１に連結されている。底部５１には、複数の排気孔５１１が設けられ、底部５１の上に木炭を乗せて燃やすことができる。木炭を燃やす時、排気孔５１１により熱エネルギーと燃焼灰とが通ることができる。底部５１が形成されない第１壁部５２の他端は、逆Ｕ字形の係着部５２１が形成されている。係着部５２１の適宜な箇所には、係着溝５２２が設けられている。係着溝５２２は、係着部５２１の端部をカットして得る切欠部である。係着溝５２２は、第１壁５２の横方向の両端の間に位置している。対向する２つの係着部５２１は、直接に第１支持軸１７と第２支持軸２７に取り付けることができる。この場合、２つの係着溝５２２が第１支え具１７３と第２支え具２７３にそれぞれ係合される。第１皿体５０を第１支持軸１７と第２支持軸２７に容易に取り付けることができるので、折り畳み式バーベキューコンロを容易に展開して使うことができる。また、第１皿体５０を第１支持軸１７と第２支持軸２７に取り付ける時、第１皿体５０が第１支持軸１７と第２支持軸２７に係合されるので、第１皿体５０により折り畳み式バーベキューコンロが傾くか或いは折り畳まれることを防ぐことができる。
【００４４】
第２皿体６０は、直接に第１支え壁部１４と第２支え壁部２４に取り付けることができる。第２皿体６０は、焼きプレートとして使うことができる。
【００４５】
図８と図９は、本発明の折り畳み式バーベキューコンロの第１支持脚と第２支持脚を示す図である。折り畳み式バーベキューコンロを展開する場合、第１支持脚３０の第１支え区間３４と、第２支持脚４０の第２支え区間４４と、第１ヒンジ部１５の第１湾曲支持部１５７と、第２ヒンジ部１６の第２湾曲支持部１６７と、第３ヒンジ部２５の第３湾曲支持部２５３と、第４ヒンジ部２６の第４湾曲支持部２６３などが地面またはテーブルの表面に支持される。第１湾曲支持部１５７と、第２湾曲支持部１６７と、第３湾曲支持部２５３と、第４湾曲支持部２６３によって、折り畳み式バーベキューコンロの展開状態を維持することができる。
【００４６】
図１０ないし図１３は、本発明の折り畳み式バーベキューコンロの折り畳み状態を示す図である。折り畳み式バーベキューコンロを折り畳む時、まず第１皿体５０と、第２皿体６０とを第１ハウジング１０と第２ハウジング２０の間から取り外さなければならない。つぎは、第１支持脚３０と第２支持脚４０とを回して、第１支持脚３０と第２支持脚４０をテーブルの表面または地面から離れるようにする。
【００４７】
折り畳み式バーベキューコンロを折り畳む時、第１支持軸１７が第１支持脚３０の回転により連動し、第２支持軸２７が第２支持脚４０の回転により連動することにより、第１支持脚３０の係着区間３３を第２支持脚４０の係着具４３に係合させることができる。
【００４８】
折り畳み式バーベキューコンロを折り畳んだ場合、第１皿体５０と第２皿体６０とが第１ハウジング１０と第２ハウジング２０との間に収納される。この場合、第１ヒンジ部１５の第１支え面１５８と、第２ヒンジ部１６の第２支え面１６８と、第３ヒンジ部２５の第３支え面２５４と、第４ヒンジ部２６の第４支え面２６４とは、地面またはテーブルの表面に支持される。
【００４９】
本発明の折り畳み式バーベキューコンロは、第１支持脚３０と第２支持脚４０を回転することのみにより、第１ハウジング１０と第２ハウジング２０とを展開することができる。且つ、第１皿体５０を直接に第１支持軸１７と第２支持軸２７に取り付けることによって、折り畳み式バーベキューコンロを容易に展開するとともに、折り畳み式バーベキューコンロが傾くか或いは折り畳まれることを防ぐことができる。
【００５０】
第１ハウジング１０の第１支持軸１７と第２ハウジング２０の第２支持軸２７との間から第１皿体５０と第２皿体６０とを取り出した後、使用者は第１支持脚３０と第２支持脚４０とを回すことにより、折り畳み式バーベキューコンロを容易に折り畳むことができる。
【００５１】
本発明は、前述した実施例により、以下のような発明の効果を奏することができる。
【００５２】
本発明の折り畳み式バーベキューコンロは、折り畳み状態と展開状態との間で切り替えることができる。折り畳み式バーベキューコンロが折り畳み状態になる場合、第１ハウジングと第２ハウジングが互いに接近し、第１皿体と第２皿体とが第１ハウジングと第２ハウジングとの間に収納される。且つ、第１支持脚と第２支持脚とが一体に係合されることによって、第１ハウジングと第２ハウジングとがひとりで展開することを防ぐことができる。本発明の折り畳み式バーベキューコンロが展開状態になる場合、第１支持脚と第２支持脚がテーブルの表面または地面に支持される。第１皿体と第２皿体とは、第１ハウジングと第２ハウジングとの間に取り付けることができる。第１皿体と第２皿体とを直接に第１ハウジングと第２ハウジングに取り付けることにより、折り畳み式バーベキューコンロを迅速に展開することができる。
【００５３】
本発明の折り畳み式バーベキューコンロにおいて、第１皿体を第１支持軸と第２支持軸に取り付ける場合、第１皿体が第１支持軸と第２支持軸に係合されるので、第１皿体により、折り畳み式バーベキューコンロが傾くか或いは折り畳まれることを防ぐことができる。
【００５４】
本発明の折り畳み式バーベキューコンロにおいて、第１支持軸と、第２支持軸と、第１皿体とを迅速に取り付けるか或いは取り外すことができるので、折り畳み式バーベキューコンロを迅速に展開するか或いは取り畳むことができる。
【００５５】
本発明の折り畳み式バーベキューコンロは、第１湾曲支持部と、第２湾曲支持部と、第３湾曲支持部と、第４湾曲支持部とにより、展開された折り畳み式バーベキューコンロを安定に立てることができる。
【００５６】
本発明の折り畳み式バーベキューコンロは、第１支え面と、第２支え面と、第３支え面と、第４支え面とにより、折り畳まれた折り畳み式バーベキューコンロを立てることができる。
【符号の説明】
【００５７】
１０  第１ハウジング
１１  第１側壁
１１１  第１貫通穴
１１２  第１突起柱
１２  第２側壁
１２１  第２貫通穴
１２２  第２突起柱
１３  第１底壁
１４  第１支え壁
１５  第１ヒンジ部
１５１  第１枢支孔
１５２  第１長い穴
１５３  第１ブッシング
１５４  第１固定具
１５５  第２ブッシング
１５６  第２固定具
１５７  第１湾曲支持部
１５８  第１支え面
１６  第２ヒンジ部
１６１  第２枢支孔
１６２  第１穴部
１６３  第３ブッシング
１６４  第３固定具
１６５  第４ブッシング
１６６  第４固定具
１６７  第２湾曲支持部
１６８  第２支え面
１７  第１支持軸
１７１  第１結合具
１７１１  第１頭部区間
１７１２  第１胴体区間
１７１３  第１制限突起部
１７１４  第１結合穴
１７２  第１取付クリップ
１７３  第１支え具
１７３１  第１離脱防止部
１７３２  第１胴体部
１７４  第１嵌着具
２０  第２ハウジング
２１  第３側壁
２１１  第３貫通穴
２１２  第３突起柱
２２  第４側壁
２２１  第４貫通穴
２２２  第４突起柱
２３  第２底壁
２４  第２支え壁
２５  第３ヒンジ部
２５１  第３枢支孔
２５２  第２長い穴
２５３  第３湾曲支持部
２５４  第４支え面
２６  第４ヒンジ部
２６１  第４枢支孔
２６２  第２穴部
２６３  第４湾曲支持部
２６４  第４支え面
２７  第２支持軸
２７１  第２結合具
２７１１  第２頭部区間
２７１２  第２胴部区間
２７１３  第２制限突起
２７１４  第２結合穴
２７２  第２取付クリップ
２７３  第２支え具
２７３１  第２離脱防止部
２７３２  第２胴体部
２７４  第２嵌着具
３０  第１支持脚
３１  第１固定穴
３２  第１ねじ接続具
３３  係着区間
３４  第１支持区間
４０  第２支持脚
４１  第２固定穴
４２  第２ねじ接続具
４３  係着具
４４  第２支持区間
５０  第１皿体
５１  底部
５１１  排気孔
５２  第１壁部
５２１  係着部
５２２  係着溝
５３  第２壁
６０  第２皿体
【図１】
2014036835.tif 000003
【図２】
2014036835.tif 000004
【図３】
2014036835.tif 000005
【図３Ａ】
2014036835.tif 000006
【図３Ｂ】
2014036835.tif 000007
【図４】
2014036835.tif 000008
【図５】
2014036835.tif 000009
【図６】
2014036835.tif 000010
【図７】
2014036835.tif 000011
【図８】
2014036835.tif 000012
【図９】
2014036835.tif 000013
【図１０】
2014036835.tif 000014
【図１１】
2014036835.tif 000015
【図１２】
2014036835.tif 000016
【図１３】
2014036835.tif 000017